(57)【要約】【課題】非常用水の貯水方策として、従来一般的に、ビル、マンション等では通常給水に使用している高所設置大気開放型貯水槽を共用する形態のものか、個別住宅においては個々に貯水槽を設ける方式のものが多い。こうした従来形式のものは、溜め水利用が中心であるため、水質が悪いばかりでなく、工数、維持、管理等に問題点が多かった。【解決手段】本発明は、従来のいわゆる溜め水利用方式の貯水槽を、流水利用の耐圧形補給水タンクとすることによって、従来の諸問題を解決するものてある。【選択図】  図１
2005016274.tif 000002
【特許請求の範囲】
【請求項１】
水道の単位給水回路の導入口側水路に、耐圧形補給水タンクを設け、給水路の水圧が無くなった場合、補給水タンク内の水を、非常用水として使用できるようにする機能を備えた給水装置。
【請求項２】
耐圧形補給水タンク（１）の下部に、逆止弁（２）を介して水道水導入管（３）と、これに並設する状態に給水弁（４）とを設け、補給水タンク（１）の頂部に、下端口が補給水タンク（１）の内奥中心部に位置するように設けた圧抜管（５）の上端口に安全弁（６）を、またこれと並設するように大気開放弁（７）と通常時の給水弁に接続する排出管（８）と補給水タンク（１）の側面に水位計（９）とを備えた請求項１記載の給水装置。
【請求項３】
排出管（８）の途中に三方切換弁（１０）を設け、これにタンク下部へ接続する配管（１１）を設けた請求項２記載の給水装置。
【発明の詳細な説明】
【０００１】
【発明の属する技術分野】
災害等の発生により、ライフライン就中、水の供給が止まるといったような事故が発生した場合、その復旧には甚大な工数を要するもので、阪神大震災の場合、自治体や自衛隊による給水が始まったのは、数日を経てのことで、この間の被害は大きななものであった。
救援が来る迄の数日間が取りわけ重要で、生命を維持する為の水の補給は生死を左右する重要事である事は言うまでもない。
本発明は、断水事故発生直後の数日間は、引き続いて生活用水を供給することができる給水装置に関する。
【０００２】
【従来の技術】
非常用水の貯水方策として、従来一般的に、ビル、マンション等では通常給水に使用している高所設置大気開放型貯水槽を共用する形態のものか、個別住宅においては個々に貯水槽を設けるものが用いられていた。
【発明が解決しようとする課題】
【０００３】
こうした従来形式のものは、高所に設置可能な、ビル等のように相当の戸数分をまとめて対処させる為にはよいとしても、個別住宅用には、工数、維持、管理などのどの面からも不適切であるという問題がある。
【０００４】
マンション、ビル等では通常時は貯水量や、水質等について、点検が行なわれているが、非常用水としては個々に取水制限を行なうことは難しい。
【０００５】
また個別住宅用貯水槽では、上面開放の溜め水利用のため、長期間放置されたままでは消火用等には適しても、水質等管理作業が行なわれにくいので衛生上そのまま飲料水としては使用できない欠点がある。
【０００６】
【課題を解決するための手段】
本発明は、従来のいわゆる溜め水利用方式の貯水槽を、流水利用型の補給水タンクとすることによって、前記の諸問題を解決しようとするものである。
【０００７】
流水利用耐圧形補給タンクは、タンク内を用水が、常に流動するように構成し、もし水圧が無くなれば、タンク内の所定量の用水が、非常用水として利用できるもので、この種タンクの設置場所は低い所でよい事と、水道利用者単位の各戸に備えられ易く、手近で、諸管理に適する非常時兼用給水装置が提供できる。
【０００８】
この給水装置は、所謂密閉型である為、塵埃等の浸入はなく、断水直前の流水利用である為、清潔性に優れ、衛生上良い条件を備えた用水提供ができる。
【０００９】
また、個別住宅に限らずマンション等に於てもベランダ等に本給水装置を個別に設置すれば、個々に非常用水を確保できる。
【００１０】
【発明の効果】
本発明による給水装置は、以上の構成とすることによって、所謂断水時においても、数日間は新鮮な用水を、利用者に継続して提供でき、しかも各戸夫々に適応した管理しやすい装置を提供することが可能となる。
【００１１】
【発明の実施形態】
発明の実施形態を実施例に基づき図面を参照して説明する。
図１は全体像を示す。耐圧形補給水タンク（１）は通常の給水圧に耐え、常に満水の状態に保たれる。逆止弁（２）は、断水時補給水タンクより水道水導入管（３）側に逆流しないよう制止するために設ける。
給水弁（４）は、断水時外部に取水する弁である。圧抜管（５）は補給水タンク（１）内の圧力を外部に導く管であり、安全弁（６）は補給水タンク内圧力が給水圧を超えた場合、外部に逃がす弁、また大気開放弁（７）は断水時給水弁（４）を使用する場合、補給水タンク（１）の上部を大気開放可能とする弁。また排出管（８）は通常給水時各給水弁、蛇口へ導く配管である。
水位計（９）は、補給水タンク内の水位・水質を監視するためのもので、一般的に補給水タンク側部に設ける。
三方切換弁（１０）は通常は排出管（８）側に切換えられるか、使用形態により配管（１１）側に切換えることを可能とする。三方切換弁（１１）は図１では、排出管（８）側に切換えられている。量水器（１２）は、使用水量を計測するもの。止水栓（１３）は給水を止めるもので（１２）、（１３）は従来より給水導入側に設けられているものである。
本実施例では、耐圧形補給水タンク（１）の形状を、円筒形のものを使用したものとして、説明するが、実用に適応するよう、例えば環境に適した形状をした給水タンクを用いてもよいことは言うまでもない。
【００１２】
図２は、通常給水時の状態を示す線図である。
止水栓（１３）、量水器（１２）を通った給水は、逆止弁（２）を矢印の方向に流れ、補給水タンク（１）を満水にして、排出管（８）、三方切換弁（１０）を通って、通常の給水弁、蛇口に導かれる。大気開放弁（７）は補給水タンク（１）を新設した場合や、タンク（１）が空になった場合、新たに給水する時タンク内のエアを抜くためのものである。
【００１３】
図３は、断水給水時の状態を示す線図である。断水時には、大気開放弁（７）を開いて給水弁（４）を開けば補給水タンク（１）内の水を取り出す事ができる。
また、断水時は給水圧が無くなるので補給水タンク（１）内の水は逆止弁（２）により水道水導入管（３）側へ逆流することはない。
【００１４】
図４は、断水給水時エアポンプを使用し通常の給水弁に送水可能を示す線図である。
排出管（８）に連結する通常の給水弁や蛇口の位置が補給水タンク（１）より上位の場合、エアポンプ（１４）の吐出口を大気開放弁（７）の出口に接続し、補給水タンク（１）内を加圧する事により通常時と同じ給水を可能とするものである。この場合三方切換弁（１０）は、配管（１１）側に切換え、給水は補給水タンク（１）底部より排出管（８）出口側に流れることとなる。また、通常の給水弁や蛇口の位置が補給水タンク（１）より下位の場合はエアポンプ（１４）を接続する事なく単に大気開放弁（７）を開くだけで通常と同じ給水が可能となる。
【００１５】
図５は、断水時真空ポンプを使用し、外部タンクより補給水タンクに補給する状態を示す線図である。
断水時に補給水タンク（１）内の水を消費し、外部タンク（１６）および給水導入管（１７）を用いて補給水タンク（１）内に水を補給する場合は、真空ポンプ（１５）の吸引口を大気開放弁（７）の出口に接続し、タンク内を負圧にし、給水弁（４）の出口に給水導入管（１７）を接続して外部タンク（１６）より補給タンク内に吸引補給することができる。
【図面の簡単な説明】
【図１】本発明の実施例
止水栓（１３）、量水器（１２）を通った給水が耐圧形補給水タンク（１）を満水にして外部排出管（８）より通常給水弁、蛇口へ導かれる図。
【図２】通常給水時の状態を示す線図
矢印の方向に給水される。
【図３】断水給水時の状態を示す線図
矢印の方向に給水される。
【図４】断水時、エアポンプを使用し通常の給水弁に送する状態を示す線図
矢印の方向に給水される。破線矢印は大気の流通方向を示す。
【図５】断水時、真空ポンプを使用し外部タンクより補給水タンクに補給する状態を示す線図
矢印の方向に補給される。
【符号の説明】
１  耐圧形補給水タンク
２  逆止弁
３  水道水導入管
４  給水弁
５  圧抜管
６  安全弁
７  大気開放弁
８  排出管
９  水位計
１０  三方切換弁
１１  配管
１２  量水器
１３  止水栓
１４  エアポンプ
１５  真空ポンプ
１６  外部タンク
１７  給水導入管
【図１】
2005016274.tif 000003
【図２】
2005016274.tif 000004
【図３】
2005016274.tif 000005
【図４】
2005016274.tif 000006
【図５】
2005016274.tif 000007